(57)【要約】【課題】　直結型可変速給水装置において、ポンプの流入圧力が変動しても安定な動作を行うことができる可変速給水装置を提供する。【解決手段】　配水管１１に接続された流入管と、この流入管に接続された複数の加圧ポンプ１３と、この加圧ポンプ１３の吐出側に接続された吐出管と、流入管に設けられた加圧ポンプ１３の流入圧力Ｐｓを検出する流入圧力検出器２１と、吐出管に設けられた加圧ポンプ１３の吐出圧力Ｐｄを検出する吐出圧力検出器２３と、加圧ポンプ１３を可変速駆動する可変速駆動手段２５と、ポンプ１３を制御する制御手段２２とを備え、制御手段２２は、流入圧力検出器２１で検出されたポンプ流入圧力Ｐｓ及びポンプの回転速度を用いて加圧ポンプ１３の追加・解列動作の制御をする。【選択図】　　図１
2004003522.tif 000002
【特許請求の範囲】
【請求項１】
　配水管に接続された流入管と、
　この流入管に接続された複数の加圧ポンプと、
　この加圧ポンプの吐出側に接続された吐出管と、
　前記流入管に設けられた加圧ポンプの流入圧力を検出する流入圧力検出器と、
　前記吐出管に設けられた加圧ポンプの吐出圧力を検出する吐出圧力検出器と、
　前記加圧ポンプを可変速駆動する可変速駆動手段と、
　前記ポンプを制御する制御手段とを備え、
　該制御手段は、前記流入圧力検出器で検出されたポンプ流入圧力及びポンプの回転速度を用いて前記加圧ポンプの追加・解列動作の制御をすることを特徴とする可変速給水装置。
【請求項２】
　前記制御手段は、前記ポンプ流入圧力を用いて前記追加・解列動作の設定速度を補正することを特徴とする請求項１に記載の可変速給水装置。
【発明の詳細な説明】
【技術分野】
【０００１】
　本発明は可変速給水装置に係り、特に配水管から加圧ポンプを介して直接末端給水機器へと連結された、いわゆる直結型の可変速給水装置に関する。
【背景技術】
【０００２】
　図１は、直結型可変速給水装置のシステム概要を示す。例えば、水道の本管である配水管１１には流入管１２が接続され、加圧ポンプ１３がこの流入管に接続されている。流入管１２には、量水器１５と流入側圧力タンク１６とが接続されている。加圧ポンプ１３の吐出側には、末端給水機器１７へと連結された吐出管１８が接続されている。吐出管１８には、フロースイッチ１９、吐出側圧力タンク２０等が接続されている。
【０００３】
　フロースイッチ１９は、流量を検出するスイッチであり、特に少水量であることが検出されるとポンプの締切運転を防止するため、ポンプの運転を停止する、いわゆる少水量停止動作を行う。加圧ポンプ１３の流入側には流入圧力検出器２１が接続されており、加圧ポンプ１３の流入側の圧力を検出し、その信号を制御部２２に送る。同様に、加圧ポンプ１３の吐出側には吐出圧力検出器２３が備えられ、吐出側の圧力信号を制御部２２に送る。
【０００４】
　ポンプ１３は、三相２００Ｖの商用電源に接続された周波数・電圧変換装置（インバータ）を備えた電動機２５（可変速手段）により可変速で駆動される。
　制御部２２は、流入圧力検出器２１及び吐出圧力検出器２３の信号に基づき、可変速手段２５に信号を送り、ポンプ１３の回転数を任意の速度に加速又は減速制御する。
【０００５】
　特開平５−１１８２８０号公報、特開平５−２６３４４４号公報、特開平５−２４０１８６号公報等によれば、加圧ポンプの吐出側の圧力を一定に保つことにより、末端給水機器へ所定の圧力の水を常に供給できるようにポンプの速度を増減する技術が開示されている。又、配水管に水圧の低下をきたさないように、ポンプの流入側圧力が低下した際には、ポンプの速度を減速する、又は停止することにより、配水管側の圧力の低下を防止する技術等が開示されている。
【０００６】
　係る直結型の可変速給水装置においては、従来の配水管に貯水槽を接続し、貯水槽に貯えられた水を加圧ポンプを用いて末端給水機器へ分配するのと比較して、種々のメリットがある。そのメリットは、貯水槽を設けないため、給水装置を全体として小型化でき、又設置面積を小さくできる。水が貯留されないので、衛生上好ましい。配水管の水圧をそのまま加圧ポンプの吸込側に利用できるため、加圧ポンプの揚程が低くなり、その分省エネルギー化ができる等である。
【発明の開示】
【発明が解決しようとする課題】
【０００７】
　しかしながら、従来の直結型以前の給水装置では貯水槽が設けられていたため、加圧ポンプの流入側はほぼゼロの圧力に保たれ、ポンプ流入側の圧力が直結型のように上昇するということがなかった。従来の可変速給水装置の運転制御に用いられているパラメータは、このような貯水装置を設け流入圧力がほぼゼロの時に定めたものが、多数の経験により蓄積されていた。しかしながら、直結型の可変速給水装置においては、流入側の圧力が常に配水管の水圧に影響されるので、従来のポンプの運転制御のパラメータをそのまま用いると、各種の不都合があった。
【０００８】
　例えば、少水量であることを流量検出器が検出し、一旦ポンプの運転速度をあらかじめ定めた比較的高い運転速度で一定時間運転し圧力タンクに蓄圧した後ポンプを停止する少水量停止動作を行う場合がある。従来は、タンクに蓄圧運転する際に、流入側圧力がほぼゼロであるということを前提として、ポンプの運転速度が定められていた。しかしながら、直結型給水装置のようにポンプの流入圧力が変動すると、タンクへ蓄圧するポンプの運転速度が流入圧力がゼロであることを前提としたものであると、ポンプの流入圧力の分だけ吐出圧力が高くなるため、蓄圧値が上昇するという問題があった。
【０００９】
　また、並列運転可能な２台のポンプを備えた可変速給水装置では、一台のポンプで水量が賄えなくなると、もう一台の予備のポンプを追加投入して並列に運転する。この追加投入のタイミングを、吐出圧力一定の運転を行いつつ、運転速度が、流入圧力がゼロの時のポンプの定格速度に達した時とすると、流入圧力が高くなると、ポンプが過負荷になるという問題がある。これは、ポンプの揚程特性から、設定の吐出圧力定格運転速度となるには、大水量側に動作点が移行するためである。
【００１０】
　また、２台のポンプが並列運転中に、流入圧力が高くなる或いは負荷水量が低下すると、１台のポンプで間に合うため、１台のポンプを解列離脱させる必要がある。この解列離脱のタイミングを、流入圧力がゼロの時のある運転速度とすると、流入圧力が変動すると解列したとたんに追加するインチング動作が起こるという不具合があった。又流入圧力が低くなると解列する水量が少水量側へ変化する。従って、一台で運転できる水量になっているにもかかわらず解列せずに２台運転のまま継続する場合があり、エネルギーの無駄であった。又、更に解列する水量が少水量側へ変化し、水量ゼロでも解列せずに、締切運転によりポンプが加熱するという不具合もあった。
【００１１】
　本発明は、上述した事情に鑑みて為されたもので、直結型可変速給水装置において、ポンプの流入圧力が変動しても安定な動作を行うことができる可変速給水装置を提供することを目的とする。
【課題を解決するための手段】
【００１２】
　上述した目的を達成するため、本発明は、配水管に接続された流入管と、この流入管に接続された複数の加圧ポンプと、この加圧ポンプの吐出側に接続された吐出管と、前記流入管に設けられた加圧ポンプの流入圧力を検出する流入圧力検出器と、前記吐出管に設けられた加圧ポンプの吐出圧力を検出する吐出圧力検出器と、前記加圧ポンプを可変速駆動する可変速駆動手段と、前記ポンプを制御する制御手段とを備え、該制御手段は、前記流入圧力検出器で検出されたポンプ流入圧力及びポンプの回転速度を用いて前記加圧ポンプの追加・解列動作の制御をすることを特徴とする。
　本発明の一態様によれば、前記制御手段は、前記ポンプ流入圧力を用いて前記追加・解列動作の設定速度を補正する。
【００１３】
　本発明の好ましい態様は、配水管に接続された流入管と、この流入管に接続された加圧ポンプと、この加圧ポンプの吐出側に接続され末端給水機器へと連結された吐出管と、前記流入管に設けられた加圧ポンプの流入圧力を検出する流入圧力検出器と、前記吐出管に設けられた加圧ポンプの吐出圧力を検出する吐出圧力検出器と、前記加圧ポンプを可変速駆動する可変速駆動手段と、前記ポンプを制御する制御手段とを備え、該制御手段は、前記ポンプの運転を制御するパラメータを、前記流入圧力検出器で検出されたポンプ流入圧力に応じて補正して、該補正されたパラメータに基づいて運転制御する。
【００１４】
　また、前記ポンプ流入圧力に応じたパラメータの補正は、前記流入圧力値がゼロにおけるポンプの任意の運転速度Ｖと締切圧力Ｐo との関係式
　　　　　　　　　　　　　　 Ｐo ＝Ｆ（Ｖ）
を基本とし、前記流入圧力値がゼロにおけるポンプの運転を制御するパラメータＶn を、流入圧力Ｐｓに応じて式
　　　　　Ｖn′ ＝（（Ｆ（Ｖn ）−Ｐs ）／Ｆ（Ｖn ））１／２×Ｖn
で補正した。
【００１５】
　また、前記ポンプの運転を制御する補正されたパラメータＶn′ は、ポンプの少水量停止時の制御に用いられるもので、少水量時であることが流量検出器から検出されたならば、前記流入圧力値がゼロにおける少水量蓄圧時の運転速度Ｖn を、前記式に従って補正した速度Ｖn′ で一定時間加圧運転する。
【００１６】
　また、前記ポンプの運転を制御する補正されたパラメータＶn′ は、２台のポンプの並列運転を行う際に、運転中の１台のポンプに対して２台目のポンプを追加投入する際に用いられるもので、前記流入圧力値がゼロにおけるポンプ追加投入の設定速度Ｖn を、前記式に従って補正した速度Ｖn′ に達したならば２台目のポンプを追加投入させる。
【００１７】
　また、前記ポンプの運転を制御する補正されたパラメータＶn′ は、前記２台のポンプが並列運転しており、そのうちの１台のポンプを解列する際に、前記流入圧力値がゼロにおけるポンプ解列の設定速度Ｖn を、前記式に従って補正した速度Ｖn′ で解列を行う。
【００１８】
　流入圧力がゼロの時のポンプの運転制御のパラメータを、流入圧力検出器で検出されたポンプ流入圧力に応じて補正して、その補正されたパラメータに基づいて運転制御することから、直結型の可変速給水装置において、ポンプの流入圧力が変動しても、適切なパラメータのもとで運転制御を行うことができる。
【００１９】
　一般的にポンプの締切圧力は、ポンプの回転速度の二乗に比例する。従って、ポンプの運転速度Ｖと締切圧力Ｐo との関係式
　　　　　　　　　　　　　　 Ｐo ＝Ｆ（Ｖ）
を基本とし、流入圧力値がゼロにおけるポンプの運転を制御するパラメータＶn を、式
　　　　　　Ｖn′ ＝（（Ｆ（Ｖn ）−Ｐs ）／Ｆ（Ｖn ））１／２×Ｖn
で補正することにより、流入圧力Ｐs が存在するときに補正されたパラメータＶn′ で運転することができる。
【００２０】
　少水量停止時の蓄圧運転速度Ｖn を、前記式に従って補正した速度Ｖn′ で運転することから、吐出側圧力が極端に上昇することを防止することができる。
【００２１】
　２台のポンプの並列運転を行う際に、運転中の１台のポンプに対して２台目のポンプを追加投入する際に、追加投入に用いられる運転速度Ｖn′ を、流入圧力を考慮した式に基づいて補正することから、適切な負荷のもとで２台目のポンプの追加投入を行うことができる。これによりポンプの過負荷を避けることができる。
【００２２】
　２台のポンプが並列運転しており、そのうちの１台のポンプを解列する際に、流入圧力値がゼロにおけるポンプの解列の設定速度Ｖn を、前記式により補正した速度Ｖn′ で解列を行うことから、ポンプのインチング動作等を防止することができ、適切なポンプの解列を行うことができる。
【発明の効果】
【００２３】
　本発明によれば、直結型可変速給水装置において、ポンプの流入圧力が変動しても安定な動作を行うことができる。即ち、流入圧力が上昇しても、補正により適切な運転が行え末端給水機器への過度の水圧上昇等が防止でき、又、ポンプの省エネルギー運転が行える。
【発明を実施するための最良の形態】
【００２４】
　以下、本発明の実施の形態及び実施例について添付図面を参照しながら説明する。
【００２５】
　本発明においても、配水管１１に加圧ポンプ１３が直結され、末端給水機器１７に配水管１１から貯水槽を介することなく直結給水するシステム構成は図１に示すとおりである。そして、加圧ポンプ１３は吐出圧力検出器２３の信号により、末端給水機器１７への供給水圧が一定となるようにインバータ等の可変速手段２５でポンプ回転速度を増減する吐出圧力制御が行われる。また、流入圧力が低下した場合に、配水管に悪影響を及ぼさないように、一定の流入設定圧力値以下になると、可変速手段２５でポンプ回転速度を減少する、又は停止する流入圧力制御が行われる。そして、吐出圧力制御は流入圧力Ｐs が選択設定圧力以下になった時に流入圧力制御に切り換えられる。
【００２６】
　図２は、本発明の可変速給水装置の制御部分の構成を示す。制御部２２には、流入圧力検出器２１から加圧ポンプ１３の流入側の圧力Ｐs が入力され、吐出圧力検出器２３から加圧ポンプ１３の吐出側の圧力Ｐd が入力される。設定圧力Ｐ1 は、吐出圧力の制御目標値であり、通常１９６〜２９４ｋＰａ（２〜３ｋｇ／ｃｍ２）に設定される。設定圧力Ｐ2 は、流入圧力Ｐs の制御目標値であり、この目標設定圧力は、配水管に悪影響を及ぼさないように、通常９８ｋＰａ（１ｋｇ／ｃｍ２）程度に設定される。設定圧力Ｐ3 は、流入圧力制御と吐出圧力制御の選択用の設定圧力値であり、流入圧力検出器の流入圧力Ｐs が低下して、配水管に悪影響を及ぼす恐れが生じた場合に、吐出圧力制御から、流入圧力制御に切替えるためのものである。制御部２２は、流入圧力Ｐs 、吐出圧力Ｐd 、の値に応じて、ポンプ１３を加速または減速する速度指令を可変速駆動手段（インバータ）２５に与える。
【００２７】
　制御部２２には、ポンプの運転を制御する各種のパラメータが入力される。これは、少水量停止動作における蓄圧時の運転速度、ポンプ２台並列運転のための追加投入時の運転速度、ポンプ２台並列運転から１台を解列離脱させる時の運転速度等である。これらの運転速度は、流入圧力値がゼロである場合の運転速度が入力される。
【００２８】
　図３は、本発明の一実施例の制御部のブロック図を示す。流入圧力がゼロの時のポンプ運転制御に関するパラメータ、例えば運転速度Ｖn を、ポンプが流入圧力Ｐs を受けた後に必要なポンプ運転速度Ｖn′ に補正しながら運転制御を行うようになっている。即ち、制御部２２には、締切圧力の演算装置３１を備えている。締切圧力の演算装置３１は、それぞれのポンプの固有の特性から流入圧力値がゼロにおけるポンプの任意の運転速度Ｖと締切圧力の関係式を記憶しており、ポンプの運転速度Ｖn に対してその締切圧力Ｐo を算定する。この関係式
　　　　　　　　　　　　　　Ｐo ＝Ｆ（Ｖn ）
は、実際の速度Ｖn に対応した締切圧力Ｐo を記憶装置に記憶させておいて、任意の速度Ｖn を未知数としてＰo を返すサブルーチンであってもよく、また両者の関係を近似した計算式として持っていても良い。
【００２９】
　次に制御部２２は、締切圧力の演算結果Ｆ（Ｖn ）と流入圧力Ｐs に基づいてパラメータを補正する演算を行う演算装置３２を備えている。この速度補正の演算式は、
　　　　　Ｖn′ ＝（（Ｆ（Ｖn ）−Ｐs ）／Ｆ（Ｖn ））１／２×Ｖn
である。一般的にポンプでは、締切圧力はポンプ回転速度の二乗に比例する。
　従って、締切圧力Ｆ（Ｖn ）から流入圧力Ｐs の差分の割合の平方根を、流入圧力値がゼロの場合の運転速度Ｖn に乗ずることにより、流入圧力Ｐs 時の補正値として運転速度Ｖn′ を得ることができる。そしてこの補正された速度Ｖn′ によりポンプの運転制御を行うことにより、流入圧力がゼロである場合の各種パラメータを用いて、流入圧力Ｐs に応じた補正により適切なポンプの運転制御を行うことができる。
【００３０】
　ポンプを吐出圧力一定に速度制御していて、末端給水機器側で水を使わなくなり、水量がほぼゼロとなった場合に、ポンプが締切運転となる。ポンプの締切運転を継続すると、ポンプは発熱するので停止させる必要があり、いわゆる少水量停止動作に入る。ポンプの再起動の条件は吐出圧力が目標吐出圧力を下回ったときであるが、少水量の検出でそのままポンプを停止させると、すぐに吐出圧力が目標吐出圧力を下回り、ポンプが頻繁に起動停止を繰り返すこととなる。このため、少水量であることが検出されたならば、ポンプを停止する直前にポンプの回転速度を上げ、目標吐出圧力よりも若干高い圧力で吐出側圧力タンクに蓄圧してからポンプを停止する。こうすると、水が多少使われても圧力が目標吐出圧力まで落ちてくるのに時間がかかるため、ポンプの停止時間を稼げる。
　このときに蓄圧時の運転速度が高すぎると、末端給水機器側の圧力変動が大きくなるため、流入圧力がほぼゼロである場合に設定された運転速度のままであると、流入圧力が直結型の場合に変動することから、末端給水機器側に極端に大きな圧力がかかる恐れがある。
【００３１】
　図４は、少水量停止動作のフローを示す。少水量が検出されたならば、締切圧力Ｐo の算定を行う。これはポンプ固有の特性から流入圧力がゼロである時の少水量停止動作時の蓄圧運転速度Ｖn に対応した締切圧力Ｐo を算定する。そして次に流入圧力Ｐs を読み込む。そして流入圧力Ｐs により補正された蓄圧動作時の運転速度Ｖn′ の演算を演算装置３２の式、
　　　　　Ｖn′ ＝（（Ｆ（Ｖn ）−Ｐs ）／Ｆ（Ｖn ））１／２×Ｖn
に基づいて行う。そして求められた運転速度Ｖn′ により所定の時間、蓄圧運転を行う。蓄圧運転が終了したならばポンプを停止する。
【００３２】
　このように本発明においては少水量停止動作に際して、流入圧力Ｐs に応じて適切に蓄圧時の運転速度Ｖn を補正してＶn′ に低くするため、流入圧力Ｐs が上昇しても蓄圧運転時の吐出圧力が極端に高くなる不具合を生じない。
【００３３】
　追加投入時の運転速度とは、２台のポンプの並列運転を行う際に、運転中の１台のポンプに対して、負荷水量が増大した場合に徐々に運転速度が上昇して、定格速度に達すると、２台目のポンプを追加投入する。その際の速度であり、流入圧力値がゼロにおける、即ち従来技術における貯水槽を設けた場合のポンプ追加投入の設定速度がＶn である。
【００３４】
　図５は、２台目のポンプの追加投入の制御フローを示す。
　まず、ポンプの運転速度Ｖn を読み込む。このＶn は流入圧力がゼロである時の２台目ポンプの追加投入を行う速度である。流入圧力がゼロである時の運転速度Ｖn に対応した締切圧力Ｐo を算定する。そして次に流入圧力Ｐs を読み込む。そして流入圧力Ｐs により補正された追加投入時の運転速度Ｖn′ の演算を演算装置３２の式、
　　　　　Ｖn′ ＝（（Ｆ（Ｖn ）−Ｐs ）／Ｆ（Ｖn ））１／２×Ｖn
に基づいて行う。そして求められた運転速度Ｖn′ に１台目のポンプが達したならば、２台目のポンプの追加投入を行う。
【００３５】
　このように本発明においては２台目ポンプの追加投入に際して、流入圧力Ｐs に応じて適切に運転速度Ｖn を補正してＶn′ にするため、流入圧力Ｐs が上昇してもポンプが過負荷になるという不具合を生じない。
【００３６】
　解列離脱時の運転速度Ｖn とは、前述のように２台のポンプが並列運転しており、そのうちの１台のポンプを解列離脱させる際の速度である。Ｖn は、流入圧力値がゼロにおける、即ち従来技術における貯水槽を設けた場合のポンプ解列離脱時の設定速度である。
【００３７】
　図６は、２台運転時のポンプから１台を解列離脱させる制御フローを示す。
　まずポンプの運転速度Ｖn を読み込む。このＶn は、流入圧力がゼロである時のポンプ解列離脱の速度である。そして、流入圧力がゼロである時の１台のポンプを解列させる運転速度Ｖn に対応した締切圧力Ｐo を算定する。そして次に流入圧力Ｐs を読み込む。そして流入圧力Ｐs により補正された解列動作時の運転速度Ｖn′ の演算を演算装置３２の式、
　　　　　Ｖn′ ＝（（Ｆ（Ｖn ）−Ｐs ）／Ｆ（Ｖn ））１／２×Ｖn
に基づいて行う。そして求められた運転速度Ｖn′に達したならば２台並列運転のポンプの１台を解列離脱させる。
【００３８】
　このように本発明においては２台並列運転のポンプの１台を解列するに際して、流入圧力Ｐs に応じて適切に運転速度Ｖn を補正してＶn′ にするため、流入圧力Ｐs が変動しても、追加と解列が頻繁に起こるインチング動作が発生する等の不具合を生じない。
【実施例】
【００３９】
　次に、本発明の一実施例の追加・解列動作について説明する。
　１台運転時のポンプのフロースイッチが「開」の状態（水が流れている状態）で、運転速度がポンプの最大速度Ｖｎ’(ｍａｘ)に達して３秒間継続したら、２台目ポンプの追加投入を行う。ここで１台目ポンプの最大速度Ｖｎ’(ｍａｘ)は、流入圧力がゼロの時の最大速度Ｖｎ(ｍａｘ)、及び切換時の流入圧力Ｐｓに対して、
Ｖｎ’(ｍａｘ)＝（（Ｆ（Ｖｎ(ｍａｘ)）−Ｐｓ）／Ｆ（Ｖｎ(ｍａｘ)））１／２
　　　　　　　　　×　Ｖｎ(ｍａｘ)
の演算により換算したものである。
【００４０】
　２台目ポンプを追加投入すると、１台目ポンプは最大速度の９５％の速度（例えば最大速度を６０Ｈｚとすると５７Ｈｚ）に固定し、２台目ポンプを可変速運転する。
　ここで９５％の速度Ｖｎ’(９５％)は、流入圧力がゼロの時の最大速度Ｖｎ(９５％)、及び切換時の流入圧力Ｐｓに対して、
Ｖｎ’(９５％)＝（（Ｆ（Ｖｎ(９５％)）−Ｐｓ）／Ｆ（Ｖｎ(９５％)））１／２
　　　　　　　　　×　Ｖｎ(９５％)
の演算により換算したものである。
【００４１】
　更に使用水量が増加して２台目ポンプの運転速度が最大速度Ｖｎ’(ｍａｘ)に達したら、１台目ポンプと２台目ポンプとを同一速度で運転する揃速運転に切換る。ここで２台目ポンプの最大速度Ｖｎ’(ｍａｘ)は、流入圧力がゼロの時の最大速度Ｖｎ(ｍａｘ)、及び切換時の流入圧力Ｐｓに対して、
Ｖｎ’(ｍａｘ)＝（（Ｆ（Ｖｎ(ｍａｘ)）−Ｐｓ）／Ｆ（Ｖｎ(ｍａｘ)））１／２
　　　　　　　　　　×　Ｖｎ(ｍａｘ)
の演算により換算したものである。
【００４２】
　その後、使用水量が減少して揃速運転時の運転速度が最大速度の９２％（例えば最大速度を６０Ｈｚとすると５５Ｈｚ）に達したならば、１台目ポンプの運転速度を９５％の速度に固定し、２台目ポンプが可変速運転となる。
　ここで９５％の速度Ｖｎ’(９５％)は、流入圧力がゼロの時の９５％速度Ｖｎ(９５％)、及び切換時の流入圧力Ｐｓに対して、
Ｖｎ’(９５％)＝（（Ｆ（Ｖｎ(９５％)）−Ｐｓ）／Ｆ（Ｖｎ(９５％)））１／２
　　　　　　　　　　×　Ｖｎ(９５％)
の演算により換算したものである。
【００４３】
　更に使用水量が減少して可変速運転中の２台目ポンプのスロースイッチが「閉」（少水量状態）となり、その状態が３秒間経過したならば、２台目ポンプを解列離脱させ、１台目ポンプを可変速運転する。
【００４４】
　尚、以上に説明した２台目ポンプの追加・解列動作は、本発明を適用した一実施例に過ぎないものである。２台の可変速ポンプを備えたいわゆる直結型の給水装置においては、本発明の趣旨を逸脱することなく様々な変形実施例が可能であることは云うまでもないことである。
【図面の簡単な説明】
【００４５】
【図１】直結型の可変速給水装置のシステム構成の説明図。
【図２】本発明の一実施例の可変速給水装置の制御系の説明図。
【図３】本発明の一実施例のパラメータ補正のブロック図。
【図４】本発明の一実施例の少水量停止動作のフロー図。
【図５】本発明の一実施例のポンプ並列運転の追加投入のフロー図。
【図６】本発明の一実施例のポンプ並列運転の解列離脱のフロー図。
【符号の説明】
【００４６】
　１１　　配水管
　１２　　流入管
　１３　　加圧ポンプ
　１５　　量水器
　１６　　流入側圧力タンク
　１７　　末端給水機器
　１８　　吐出管
　１９　　フロースイッチ
　２０　　吐出側圧力タンク
　２１　　流入圧力検出器
　２２　　制御部
　２３　　吐出圧力検出器
　２５　　可変速手段（インバータ）
　３１　　締切圧力Ｐo 算定の演算部
　３２　　運転速度補正の演算部
　Ｐs　　流入圧
　Ｐd　　吐出圧力
【図１】
2004003522.tif 000003
【図２】
2004003522.tif 000004
【図３】
2004003522.tif 000005
【図４】
2004003522.tif 000006
【図５】
2004003522.tif 000007
【図６】
2004003522.tif 000008